(57)【要約】【課題】本発明は、給湯機から取り外された後に、給湯機の設置の作業性を向上させるために有効に利用することができる包装体及び給湯機製品を提供することを目的とする。【解決手段】本発明は、給湯機を覆う包装体本体部と、前記給湯機を持ち上げるべく給湯機の底面部に宛がわれる持ち上げ部とを有し、前記持ち上げ部は、前記包装体本体部から分離可能な状態で該包装体本体部と一体的に設けられ、前記持ち上げ部は、前記給湯機の底面部に宛がった際に、該底面部から反対方向に突出する大きさに設定されることを特徴とする。【選択図】  図１
2012166828.tif 000002
【特許請求の範囲】
【請求項１】
給湯機を覆う包装体本体部と、前記給湯機を持ち上げるべく給湯機の底面部に宛がわれる持ち上げ部とを有し、
前記持ち上げ部は、前記包装体本体部から分離可能な状態で該包装体本体部と一体的に設けられ、
前記持ち上げ部は、前記給湯機の底面部に宛がった際に、該底面部から反対方向に突出する大きさに設定されることを特徴とする包装体。
【請求項２】
前記持ち上げ部は、前記給湯機の底面部の中央部を間にして対向するように位置する底面部の一端縁部と他端縁部との間隔よりも長い寸法に設定されることを特徴とする請求項１に記載の包装体。
【請求項３】
前記持ち上げ部のうち前記給湯機の底面部に宛がった際に前記一端縁部及び他端縁部から突出する部分には、把持部が設けられることを特徴とする請求項１又は２に記載の包装体。
【請求項４】
前記包装体本体部は、前記給湯機の鉛直方向に沿う鉛直面を覆う鉛直面部と、前記給湯機の上面を覆う上面部とを備えて構成され、
前記持ち上げ部は、前記鉛直面部に設けられることを特徴とする請求項１〜３の何れか一項に記載の包装体。
【請求項５】
前記包装体本体部は、直方体形状の給湯機を包装するものであり、
前記包装体本体部は、直方体形状を有する給湯機の正面と対向するように配置される正面部と、前記給湯機の背面と対向するように配置される背面部と、前記正面部及び背面部と隣り合う側面部とを有し、
前記持ち上げ部は、前記側面部に設けられることを特徴とする請求項１〜３の何れか一項に記載の包装体。
【請求項６】
前記包装体本体部は、底面部に支持脚が設けられる給湯機を包装するものであり、
前記持ち上げ部には、前記給湯機の支持脚を逃げる逃げ部が設けられることを特徴とする請求項１〜５の何れか一項に記載の包装体。
【請求項７】
請求項１〜６の何れか一項に記載の包装体によって給湯機を包装して完成された給湯機製品。
【発明の詳細な説明】
【技術分野】
【０００１】
本発明は、包装体及び給湯機製品に関する。
【背景技術】
【０００２】
近年、ヒートポンプや電気ヒータ（加熱手段）を熱源とした給湯機（タンク装置）の開発が進められている。このような給湯機は、輸送時の傷つきを防止する包装体を備えている。
【０００３】
給湯機は、例えば、特許文献１に示すように、包装体に包装されて運搬される。この包装体は、給湯機の設置の際に取り外されるものであり、一般的には、設置場所の手前で包装体を取り外してから、給湯機を設置場所まで移動させる。例えば、従来の給湯機の運搬方法は、図７に示すように、２人の作業者の一方が給湯機の支持脚を持ち、他方が給湯機の上部に設けられた取っ手を持ち、給湯機を横に倒した状態で運搬する。そして、取り外された包装体は、そのまま廃棄される。
【先行技術文献】
【特許文献】
【０００４】
【特許文献１】特開２００９−１４９３４７号公報
【発明の概要】
【発明が解決しようとする課題】
【０００５】
ところで、給湯機は、重量物であり、また、通常の使用状態では移動させるものではないことから、移動に適した構造とはなっておらず、給湯機単体では移動させる作業が容易でないという問題がある。
【０００６】
一方で、包装体は、専ら包装のみの機能を有するものであり、現状では、取り外された包装体を有効に利用できていないという問題もある。
【０００７】
そこで、本発明は、給湯機から取り外された後に、給湯機の設置の作業性を向上させるために有効に利用することができる包装体を提供することを目的とする。
【課題を解決するための手段】
【０００８】
本発明は、給湯機を覆う包装体本体部と、前記給湯機を持ち上げるべく給湯機の底面部に宛がわれる持ち上げ部とを有し、前記持ち上げ部は、前記包装体本体部から分離可能な状態で該包装体本体部と一体的に設けられ、前記持ち上げ部は、前記給湯機の底面部に宛がった際に、該底面部から反対方向に突出する大きさに設定されることを特徴とする。
【発明の効果】
【０００９】
本発明によれば、給湯機から取り外された後に、給湯機の設置の作業性を向上させるために包装体を有効に利用することができる。
【図面の簡単な説明】
【００１０】
【図１】給湯機包装体の構成を示す図である。
【図２】包装体本体部及び持ち上げ部の構成を示す図である。
【図３】持ち上げ部を給湯機の底部に宛がう例を示す図である。
【図４】給湯機を支える支持脚の構成を示す図である。
【図５】包装体の持ち上げ部を示す図である。
【図６】包装体の持ち上げ部を用いた給湯機の運搬作業を示す図である。
【図７】従来の給湯機の運搬作業を示す図である。
【発明を実施するための形態】
【００１１】
以下、本発明の実施形態について、図１〜図６を参照して説明する。
【００１２】
本実施形態に係る給湯機の包装体は、図１に示すように、固定台４０に固定された状態の給湯機１０を包装するものである。なお、給湯機を梱包した時の製品寸法は、例えば幅７０cm×奥行き８０cm×高さ２００cm程度となるのが一般的である。
【００１３】
ここで、給湯機１０は、図１や図３に示されるように、戸建ての狭い通路にも設置ができるように、一般的に幅・奥行き方向に比べ、高さ方向に長い直方体をしている。よって、図３によく示されるとおり、給湯機１０の底面部１１は、長方形の形をしている。また、給湯機１０は、底面部１１に支持脚が設けられる。具体的には、給湯機１０には、前記底面部１１の正面側幅方向中央部に正面側支持脚１２が一つ設けられ、背面側幅方向中央部を対称に、背面側支持脚１３が両側に二つ設けられることで給湯機１０の重量を支える構造となっている。
【００１４】
＜包装体の構成＞
また、図１に示されるように、包装体は、給湯機を覆う包装体本体部１と、給湯機１０を持ち上げるべく給湯機１０の底面部１１（図３参照）に宛がわれる持ち上げ部５０とを有する。また、持ち上げ部５０は、包装体本体部１から分離可能な状態でこの包装体本体部１と一体的に設けられる。持ち上げ部５０は、給湯機１０の底面部１１に宛がった際に、この底面部１１から反対方向に突出する大きさに設定される。
【００１５】
＜包装体本体部＞
包装体本体部１は、図１及び図２に示されるように、給湯機１０の鉛直方向に沿う鉛直面を覆う鉛直面部３０と、給湯機１０の上面を覆う上面部２０とで構成される。また、上述したように、前記包装体本体部１は容易に分離可能な持ち上げ部５０を有し、給湯機製品開梱後の運搬作業に持ち上げ部５０を使用することで運搬作業性を向上することができる。
【００１６】
具体的には、持ち上げ部５０は、鉛直面部３０に設けられる。より具体的には、包装体本体部１の鉛直面部３０は、直方体形状を有する給湯機１０の正面と対向するように配置される正面部３１と、給湯機１０の背面と対向するように配置される背面部３２と、正面部３１及び背面部３２と隣り合う側面部３３とで構成され、持ち上げ部５０は、鉛直面部３０の側面部３３に設けられる。
【００１７】
また、包装体には、包装体本体部１と持ち上げ部５０とを分離するための分離手段が設けられている。分離手段は、具体的には、ミシン目５１によって構成される。これにより、包装体開梱後には、包装体本体部１から容易に分離可能な構造となっている。なお、分離手段は、ミシン目５１以外にも、外力を加えると力が集中的に作用するように構成されたもの（例えば、溝，ハーフカット等）であっても良い。
【００１８】
＜支持脚＞
正面側支持脚１２及び背面側支持脚１３は、給湯機１０を支える十分な強度を有する必要がある。正面側支持脚１２及び背面側支持脚１３の構造は、図４に示すように、底面部１１と支持脚を接続する底面接続部１４，給湯機１０の重量を支える支持部１５，支持脚を地面に固定する地面接続部１６に分かれている。なお、図４では、上から順に、上面図，側面図，底面図が示される。
【００１９】
＜持ち上げ部＞
持ち上げ部５０は、給湯機１０の底面部１１の中央部を間にして対向するように位置する底面部１１の一端縁部１７と他端縁部１８との間隔よりも長い寸法に設定される。従って、持ち上げ部５０を給湯機１０の正面側から背面側に向かって底面部１１に宛がい、給湯機１０を持ち上げることができる。
【００２０】
また、持ち上げ部５０のうち給湯機１０の底面部１１に宛がった際に一端縁部１７及び他端縁部１８から突出する部分には、把持部が設けられる。これにより、持ち上げ部５０を給湯機１０の底部に宛がった際に作業者の作業性が向上する。具体的には、持ち上げ部５０には、前記把持部として、作業者がつかむための正面側取っ手部６０，背面側取っ手部７０が各２つづつ設けられている。持ち上げ部５０の幅方向の大きさは、底面部１１の両端に設けられた背面側支持脚１３との接触を避けるため、背面側支持脚の内側に収まるようにし、奥行き方向の大きさは、正面側取っ手部６０，背面側取っ手部７０が給湯機１０の正面側及び背面側から出るための十分な長さを有する。
【００２１】
また、持ち上げ部５０には、給湯機１０の支持脚を逃げる逃げ部５２が設けられる。これにより、正面側支持脚１２及び背面側支持脚１３と干渉することなく給湯機１０を持ち上げることができる。持ち上げ部５０の形状を具体的に説明すると、図５に示すように、正面側支持脚１２との接触を避けるために逃げ部５２と、正面側支持脚１２と同じ間隔をおいて正面側取っ手部６０まで伸びる突出部５３を有している。例えば、正面側支持脚１２及び背面側支持脚の幅寸法は、７cmであり、正面側支持脚１２の幅寸法に合わせ、逃げ部５２の幅寸法は７cmとなる。
【００２２】
例えば、底面部１１の両端に設けられた背面側支持脚１３は５０cm間隔で設けられており、これに合わせ、持ち上げ部５０の幅は５０cmとなる。
【００２３】
さらに、底面部１１の奥行きが６０cmとすると、底面部１１と持ち上げ部５０が接触する長さは、６０cmとなり、正面側取っ手部６０，背面側取っ手部７０が作用するための十分な長さを確保するため、持ち上げ部５０の奥行きは１２０cm必要となる。
【００２４】
そのとき、持ち上げ部５０が底面部１１の正面側及び背面側より突出する長さは、それぞれ３０cmとなり、逃げ部５２の奥行きは、３０cmと正面側支持脚１２の長さを加えた長さとなる。
【００２５】
＜持ち上げ部の構造・材質＞
持ち上げ部５０は、給湯機１０を支える強度を有した構造となっている。具体的には、包装体に用いる材質は、具体的にはダンボール８０である。ダンボール８０の構造は、図５に示すとおり、表ライナ８１，Ｂ段中しん８２，中ライナ８３，Ａ段中しん８４及び裏ライナ８５で構成される。ダンボール８０は、これら表ライナ８１，Ｂ段中しん８２，中ライナ８３，Ａ段中しん８４及び裏ライナ８５の各構造及び紙の繊維方向で全体の引張り強度が決まる。
【００２６】
包装体本体部１から分離された持ち上げ部５０は、Ｙ方向に引張り力がかかる。ライナは、Ｘ方向及びＹ方向に強度を発揮するが、中しんはＹ方向の方がＸ方向よりも強度を発揮する。よって、ダンボールの段目方向（中しんの山又は谷の稜線に沿う方向）は、Ｙ方向に合わせることで強い引張り力にも対応できる構造となる。
【００２７】
また、正面側取っ手部６０及び背面側取っ手部７０は局所的に力がかかる部位である。正面側取っ手部６０及び背面側取っ手部７０より紙の繊維の方向に沿って起こる局所的な亀裂を防止するため、紙の繊維方向はＸ方向にとる。
【００２８】
＜作業形態＞
まず、上記構成からなる包装体によって給湯機を包装して完成された給湯機製品は、トラック等によって給湯機の設置場所近くまで運搬される。次に、給湯機から包装体を取り外すことにより、この給湯機製品を給湯機と包装体とに分解する。そして、ミシン目５１に沿って包装体本体部１と持ち上げ部５０とを分離する。
【００２９】
次に、図６に示すように、分離された持ち上げ部５０は、給湯機１０の下面部に宛がい、正面側取っ手部６０は、給湯機１０の正面より、背面側取っ手部７０は給湯機１０の背面から出るようになっている。作業者は給湯機１０の正面側と背面側に別れ、各取っ手部を持って給湯機１０の運搬をすることにより、給湯機１０を横に倒さずに運搬することが可能になる。その結果、従来運搬することが困難だった戸建の狭い通路の移動が容易になると同時に、給湯機１０に対して局所的大きな力が加わることがなくなり、給湯機の不良を低減することができる。一方で、取り外された包装体を有効に利用することができる。
【００３０】
上記構成からなる包装体によれば、給湯機から取り外された後に、給湯機の設置の作業性を向上させるために有効に利用することができる。
【００３１】
また、上記構成からなる包装体を用いれば、給湯機を横にしないでも運搬することができ、狭い通路であっても給湯機を搬入することができる。また、給湯機の取っ手部が上部にネジ止めなどで固定されている場合、給湯機を横にすると大きな力が加わって、給湯機の上部の鉄板が変形するおそれがあるが、上記構成からなる包装体を用いれば、そのような状況を防ぐことができる。
【００３２】
なお、本発明に係る包装体及び給湯機製品は、上記実施形態の構成に限定されるものではなく、発明の趣旨を逸脱しない範囲内で種々の変更が可能である。
【００３３】
例えば、上記実施形態においては、持ち上げ部は、鉛直面部に設けられるものを例に説明したが、これに限定されるものではなく、持ち上げ部が給湯機の上面を覆う包装体本体部の上面部に設けられるものであってもよい。
【００３４】
また、上記実施形態においては、包装体本体部の鉛直面部と上面部とが別体として設けられるものであったが、これに限定されるものではなく、鉛直面部と上面部とが一体的に設けられるものであってもよい。
【００３５】
また、上記実施形態においては、給湯機が直方体形状を有し、包装体本体部は、直方体形状の給湯機を包装するものを例に説明したが、これに限定されるものではなく、給湯機が例えば円筒形状を有し、包装体本体部は、円筒形状の給湯機を包装するものであってもよい。
【符号の説明】
【００３６】
１  包装体本体部
１０  給湯機
１１  底面部
１２  正面側支持脚
１３  背面側支持脚
１４  底面接続部
１５  支持部
１６  地面接続部
２０  上面部
３０  鉛直面部
４０  固定台
５０  持ち上げ部
５１  ミシン目
５２  逃げ部
５３  突出部
６０  正面側取っ手部
７０  背面側取っ手部
８０  ダンボール
８１  表ライナ
８２  Ｂ段中しん
８３  中ライナ
８４  Ａ段中しん
８５  裏ライナ
【図１】
2012166828.tif 000003
【図２】
2012166828.tif 000004
【図３】
2012166828.tif 000005
【図４】
2012166828.tif 000006
【図５】
2012166828.tif 000007
【図６】
2012166828.tif 000008
【図７】
2012166828.tif 000009